(57)【特許請求の範囲】
【請求項１】
天井（７１）に設置するよう意図した雌形ソケット（１０）であって、少なくとも間接的に配電網に接続するよう意図した第１電気コネクタ（１１）を受容する底部（１２０）を有する空洞（１２）を含む雌形ソケット（１０）；
第２電気コネクタ（２１）を含み、前記雌形ソケット（１０）に取外可能に係合するように構成した、前記雌形ソケットの空洞（１２）に補完的な形状を有する雄形プラグ（２０）であって、該雄形プラグ（２０）は、該雄形プラグ（２０）を前記雌形ソケット（１０）に挿入できる係止解除位置から、前記雄形プラグ（２０）を前記雌形ソケット（１０）に固着する係止位置に、変化でき、前記第２電気コネクタ（２１）は、軸方向に前記第１電気コネクタ（１１）と協働する、雄形プラグ（２０）；
前記第２電気コネクタ（２１）に接続する第１端部（４１）、及び電気装置に接続するよう構成した別の端部（４２）を含む電気導体（４０）であり、前記雄形プラグ（２０）を通り延伸する電気導体（４０）であって、前記雄形プラグ（２０）と前記電気導体（４０）は、２つの別個の要素である、電気導体（４０）
を含む接続装置（１）であって、
前記雄形プラグは、該雄形プラグ（２０）の高さを通り延在するダクト（２２）を含み、該ダクト（２２）は、前記雄形プラグ（２０）に形成した肩部（３１）を備えるハウジング（３０）に繋がり、該ハウジングを、前記第２電気コネクタ（２１）を受容するように配設すること、及び
前記電気導体（４０）と前記第２電気コネクタ（２１）は、一体要素を形成し、該一体要素を、前記第２電気コネクタ（２１）が前記ハウジング（３０）の前記肩部（３１）に載り、前記電気装置の重量を支持するように、前記第２電気コネクタ（２１）がハウジング（３０）の肩部（３１）に当接するまで前記雄形プラグ（２０）の前記ダクト（２２）に挿入するように配設すること
を特徴とする接続装置（１）。
【請求項２】
前記第２電気コネクタ（２１）は、前記ハウジング（３０）内で回転自在である、請求項１に記載の接続装置（１）。
【請求項３】
前記第２電気コネクタ（２１）は、前記肩部（３１）に対して補完的な形状を有する、請求項１又は２に記載の接続装置（１）。
【請求項４】
前記雄形プラグ（２０）は、一体要素で、Ｔ字形であり、前記Ｔ字形の胴部は、円筒形であり、前記Ｔ字形の頭部は、略楕円形であることを特徴とする、請求項１に記載の接続装置（１）。
【請求項５】
前記第２電気コネクタ（２１）を、前記雄形プラグ（２０）のＴ字形の頭部の上面に配置する、請求項４に記載の接続装置（１）。
【請求項６】
前記第２電気コネクタ（２１）を、前記雄形プラグ（２０）の前記Ｔ字形の前記頭部の側面の１つに配置する、請求項４に記載の接続装置（１）。
【請求項７】
前記第２電気コネクタ（２１）を、前記雄形プラグ（２０）が係止位置にあるときに、前記第１電気コネクタ（１１）と接触状態に保持するように、前記第２電気コネクタ（２１）を、前記雄形プラグ（２０）の表面と面一にする、請求項１から請求項６のいずれかに記載の接続装置（１）。
【請求項８】
バヨネット式取付けシステム等、雌形ソケット（１０）に前記雄形部品（２０）を係合する手段を含む、請求項１から請求項７のいずれかに記載の接続装置（１）。
【請求項９】
前記雌形ソケット（１０）は、前記雄形プラグ（２０）を前記雌形ソケット（１０）内で係止位置で係止する手段を含む、請求項１から請求項７のいずれかに記載の接続装置（１）。
【請求項１０】
前記雄形プラグ（２０）、前記雌形ソケット（１０）及び前記第２電気コネクタ（２１）は、加硫ゴム製である、請求項１から請求項９のいずれかに記載の接続装置（１）。
【請求項１１】
前記雌形部品（１０）は、前記第１電気コネクタとは無関係に、前記配電網に接続する少なくとも１つの電子装置を含む、請求項１から請求項１０のいずれかに記載の接続装置（１）。
【請求項１２】
前記雌形部品（１０）は、前記電子装置を受容するように構成した少なくとも１つのハウジングを含む、請求項１１に記載の接続装置（１）。
【請求項１３】
前記電子装置は、無線通信手段である、請求項１１又は請求項１２に記載の接続装置。
【請求項１４】
前記電子装置は、煙探知器である、請求項１１又は請求項１２に記載の接続装置。
【発明の詳細な説明】
【技術分野】
【０００１】
本発明は、電気装置、特に、電気装置を天井又は壁に設置可能にするコネクタに関する。
【背景技術】
【０００２】
特許文献１から、電気装置を、天井の配電網に迅速に固定して接続する電気コネクタが知られている。この電気コネクタは、バヨネット方式で電気固定具に固定される。
【０００３】
この装置には、設置が複雑であるという欠点がある。実際に、コネクタは、まず、電気装置を、電気接続端子を介してコネクタに接続する必要がある。その上、かかるコネクタは、ネジで固定するプラグコネクタを有し、その結果、長期間に亘り、またランプ等の電気装置を繰返し設置／取外した後に、信頼可能な電気的接続を確保できない。
【先行技術文献】
【特許文献】
【０００４】
【特許文献１】英国特許第２４３５７２２号
【発明の概要】
【発明が解決しようとする課題】
【０００５】
本発明の目的は、これら既知の技術に関する様々な欠点を解消することである。
【０００６】
より正確には、本発明の目的は、簡単且つ安価に実装できるコネクタを提供することである。
【課題を解決するための手段】
【０００７】
これらの目的を、以下でより明確になる他の目的に加えて、本発明により、迅速接続装置を用いて達成するが、該装置は：
壁取付け台に設置するよう意図した電気固定具を形成する雌形ソケットであって、少なくとも間接的に配電網に接続するよう意図した第１電気コネクタを受容する空洞を含む雌形ソケット；
第２電気コネクタを含み、雌形ソケットに取外可能に係合するように構成した、雌形ソケットの空洞に補完的な形状を有する雄形プラグであって、該雄形プラグは、雄形プラグを雌形ソケットに挿入できる係止解除位置から、雄形プラグを雌形ソケットに固定する係止位置に、変化でき、第２電気コネクタは、第１電気コネクタと協働する、雄形プラグ；
第２電気コネクタに接続する第１端部、及び電気装置に接続するよう構成した別の端部を含む電気導体であり、雄形プラグを通り延伸する電気導体であって、雄形プラグと電気導体は、２つの別個の要素である、電気導体
を含む。
【０００８】
本発明によると、雄形プラグは、雄形プラグの高さを通り延在するダクトを含み、該ダクトは、雄形プラグに形成した肩部を備えるハウジングに繋がり、該ハウジングを、第２電気コネクタを受容するように配設する、及び電気導体と第２電気コネクタは、一体要素を形成し、該一体要素を、第２電気コネクタがハウジングの肩部に載り、電気装置の重量を支持するように、第２電気コネクタがハウジングの肩部に当接するまで、雄形プラグのダクトに挿入するように配設する。
【０００９】
本発明の他の有利な変形例によると：
第２電気コネクタは、ハウジング内で回転自在である；
本発明によると、第２電気コネクタは、肩部に対して補完的な形状を有する；雄形プラグは、一体要素で、Ｔ字形である；Ｔ字形の胴部は、円筒形であり、Ｔ字形の頭部は、略楕円形である；
第２電気コネクタを、雄形プラグのＴ字形の頭部の上面に配置する；
第２電気コネクタを、雄形プラグのＴ字形の頭部の側面の１つに配置する；
雄形プラグと電気導体は、２つの別個の要素であり、電気導体を、雄形プラグ内で嵌合する；
第２電気コネクタを、雄形プラグが係止位置にあるときに、第１電気コネクタと接触状態に保持するように、第２電気コネクタを、雄形プラグの表面と面一にする；
バヨネット式取付けシステム等の、雌形ソケットに雄形部品を係合する手段を含む；
雌形ソケットは、雄形プラグを雌形ソケット内で係止位置で係止する手段を含む；
雄形プラグ及び雌形ソケットは、プラスチック材料製であり、第２電気コネクタは、加硫ゴム製である；
雌形部品は、第１電気コネクタとは無関係に、配電網に接続する少なくとも１つの電子装置を含む；
雌形部品は、電子装置を受容するように構成した少なくとも１つのハウジングを含む；
電子装置は、無線通信手段である；
電子装置は、煙探知器である。
【００１０】
また、本発明は、
取付け台に永久に固定するよう意図した凹状ハウジングであって、
底部を有する本体；
底部付近に配設する、電気ケーブルを通すための開口部；
凹状ハウジングを補強するために、本体の外壁に形成するリブ；
本体の内面に形成し、雌形ソケットと協働するように構成した係止及び調節手段
を含む凹状ハウジング；
接続装置であって、該接続装置の雌形ソケットは、該雌形ソケットの外壁に形成する溝を含み、該溝を、凹状ハウジングに対して雌形ソケットの位置を調節するために、凹状ハウジングの係止及び調節手段と協働するように配設し、該係止手段は、接続装置の雌形ソケットと協働するように構成した少なくとも１つの突起を含む、接続装置
を含む組付け体にも関する。
【００１１】
本発明の他の有利な変形例によると：
溝は、雌形ソケットを、凹状ハウジングに対して所定の位置で保持するために、凹状ハウジングの係止手段と協働する；
調節手段は、接続装置の雌形ソケットと協働するように意図した、側壁の内面に形成した周溝を含む。
【００１２】
また、本発明は、接続装置に電気装置を接続する取付けキットであって、該取付けキットは：
壁取付け台に永久に固定するように意図した凹状ハウジング；
凹状ハウジングに設置するように意図した雌形ソケットであって、配電網に接続するように意図した第１電気コネクタを含む雌形ソケット；
第２電気コネクタを含み、該第２電気コネクタが第１電気コネクタと協働するように、雌形ソケットと協働するよう適合する雄形プラグ；及び
第２電気コネクタに接続する第１端部、及び電気装置に接続するよう構成した別の端部を含む電気導体であり、雄形プラグを通り延伸する電気導体
を含む取付けキットに関する。
【００１３】
本発明による取付けキットは、例えば、電灯又はファンとしてもよい電気装置を含む。
【００１４】
また、本発明は、本発明による取付けキットを取付ける方法にも関し、該方法は：
凹状ハウジングを位置決めするステップ； 
天井を形成するコンクリートスラブを注入するステップ；
電気ワイヤを凹状ハウジングを通して引張る又は走らせるステップ；
雌形ソケットの第１電気コネクタを電気ワイヤに接続するステップ；
雌形ソケットを凹状ハウジングに挿入し、係止するステップ；
第１電気コネクタと第２電気コネクタとが互いに協働するように、雄形プラグを雌形ソケットに挿入し、係止するステップ
を含む。
【００１５】
他の特徴及び利点は、添付図を参照して、非限定的な実例として挙げた、以下の記述からより明確になるであろう。
【図面の簡単な説明】
【００１６】
【図１】図１ａは、本発明による接続装置の雌形ソケットの斜視図である。図１ｂは、本発明による接続装置の雄形プラグの斜視図である。図１ｃは、雌形ソケットの内部空洞の構成を点線で概略的に示した、雌形ソケットの斜視図である。
【図２】図２ａは、本発明による雌形ソケットの断面図である。図２ｂは、本発明の第１実施形態による雄形プラグの断面図である。図２ｃは、本発明の第２実施形態による雄形プラグの断面図である。
【図３】図３ａ〜図３ｃは、本発明による凹状ハウジングの断面図である。
【図４】図４ａは、雌形ソケット内に収容した雄形プラグの断面図である。図４ｂは、凹状ハウジング内に固着した雄形プラグ／雌形ソケット組付け体の断面図である。
【図５】図５ａ〜図５ｆは、本発明によるキットを設置する方法を示している。
【図６】図６ａは、天井に設置した本発明によるキットの断面図である。図６ｂは、吊天井に設置した本発明によるキットの断面図である。
【発明を実施するための形態】
【００１７】
次に、本発明の一実施形態による接続装置について、図１ａ、図１ｂ、図１ｃ、図２ａ〜図２ｃ、図３ａ〜図３ｃ、図４ａ、図４ｂ、図６ａ及び図６ｂを共に参照して後述する。
【００１８】
以下では、「壁取付け台（ｗａｌｌ  ｍｏｕｎｔ）」は、壁、天井、床又はその他の建物面も含む。
【００１９】
本発明は、接続装置１に関し、該接続装置１は：
壁取付け台に設置するよう意図した雌形ソケット１０であって、少なくとも間接的に配電網に接続するよう意図した第１電気コネクタ１１を受容する底部１２０を有する空洞１２を含む雌形ソケット１０；
第２電気コネクタ２１を含み、雌形ソケット１０に取外可能に係合するように構成した、雌形ソケットの空洞１２に補完的な形状を有する、ここでは略Ｔ字形をした雄形プラグ２０であって、雄形プラグ２０は、雄形プラグ２０を雌形ソケット１０に挿入できる係止解除位置から、雄形プラグ２０を、−バヨネット式取付け装置のような空洞１２に設けた補完面に載置するＴ字形のバーを介して−雌形ソケット１０に固着する係止位置に、変化でき、第２電気コネクタ２１は、軸方向に第１電気コネクタ１１と協働する、雄形プラグ２０；
−第２電気コネクタ２１に接続する第１端部４１、及び電気装置に接続するよう構成した別の端部４２を含む電気導体４０であり、雄形プラグ２０を通り延伸する電気導体４０
を含む。
【００２０】
本発明の特に有利な態様によると、第２電気コネクタ２１は、電気装置の重量を支持するよう配設した手段を含む。
【００２１】
本発明による装置は、２個の主要な構成要素、即ち、対象となる天井７１に永久に固定するよう配設する雌形ソケット１０、及び電気装置に固着し、電気的に接続するように配設する雄形プラグ２０を含む。
【００２２】
雌形ソケット１０を、好適には建築専門家によって、理想的には、住宅建設中に、例えば、適当な寸法の成形用コア周りに天井７１を注入することによって、設置できる。成形用コアを除去すると、雌形ソケット１０を、その空洞に設置でき、第１電気コネクタ１１を、住宅の配電網に接続する。
【００２３】
より正確には、図面で示すように、雌形ソケット１０は、円筒形の形を取り、円筒形を形成する回転軸と一致する軸Ａを中心とする略平行六面体の空洞１２を有する。空洞１２は、雌形ソケット１０の上部の全体又は一部に亘り延在し、雌形ソケット１０の下面に入口部１２１を備える。有利には、底部１２０を、中心付近で穿孔して、配電網に接続するよう意図する第１電気コネクタ１１を通過可能にできる。第１電気コネクタ１１を、例えば、ネジ固定によって、又は圧入及び接着によって、底部１２０に一体的に取付ける。  
【００２４】
雌形ソケット１０は、筒状外囲体１０ａを含み、該外囲体１０ａは、ソケットの底部で終端し、空洞１２の開口部付近では、天井７１に当接し、雌形ソケット１０周りに位置する周縁部を覆うように構成した支持カラー１３で終端する。外囲体１０ａは、外囲体の周縁部周りに延在し、軸Ａに沿って互いに離間する一連の溝１５を更に含む。溝１５は、外囲体１０ａを補強すると共に、雌形ソケットを据えるコンクリートスラブに外囲体１０ａを保持するための定着要素としての役割を果たす。
【００２５】
本実施例では、これらの溝を、外囲体の周囲で中断しているが、図示しない変形例では、外囲体周りに連続的に延在させてもよい。好適には、これらの溝は、上記外囲体１０ａの表面で螺旋状に延在させる。溝の数及び高さは、可変であり、特に、本発明の装置に接続するよう意図した電灯の重さによって決まる。雌形ソケット１０の別の実施形態では、溝１５を完全に省略できる、又は、例えば、第１電気コネクタ１１付近で外囲体１０ａから延在させるカラーと置換できる。
【００２６】
本発明の別の実施形態によると、雌形部品１０は、第１電気コネクタ１１とは無関係に配電網に接続する電子装置を受容するように構成した少なくとも１つのポケット凹部１４を有してもよい。例えば、電子装置は、ＷｉＦｉ又はＬＴＥモジュール等の無線通信手段であってもよい。また、この電子装置は、煙探知器から構成してもよい。
【００２７】
図１ｃと組合せて、溝１５を示していない図２ａの断面図で観察できるように、雌形ソケット１０の空洞は、軸Ａを中心とした直径Ｄの筒状凹部１２２に繋がり、筒状凹部１２２の底部は、雌形ソケット１０の底部１２０と一致する。空洞１２を、雄形部品２０を、筒状凹部１２２の所まで雌形部品１０内に案内するように構成する。
【００２８】
図１ｂ及び図２ｂで特に分かる、雄形プラグ２０は、雄形プラグ２０の頭部２０１と呼ぶ、従って空洞１２と同様な形の第１略平行六面体部分、及び雄形プラグ２０の胴部２０２と呼ぶ、第２円筒状部分を含む。
【００２９】
本発明の特定の実施形態によると、雄形プラグ２０は、一片体であり、Ｔ字形をしている；Ｔ字形の胴部は、円筒形で、Ｔ字形の頭部は、略楕円形である。
【００３０】
この実施形態によると、第２電気コネクタ２１を、雄形プラグ２０のＴ字形の頭部の上面又は一側面に配置できる。
【００３１】
有利には、雄形プラグ胴部２０２の高さは、空洞１２の高さＨと略同じであり、雄形プラグ２０の頭部２０１の高さは、凹部１２２の高さｈと略同じである。
【００３２】
雄形プラグ２０の頭部２０１は、第１バヨネット取付け部材を形成し、第２取付け部材を、凹部１２２によって形成する。図面で説明した実施形態では、雄形プラグ２０を、雌形ソケット１０の空洞１２に係合できる。雄形プラグ２０の頭部２０１の寸法は、空洞１２の寸法に近くし、頭部２０１と空洞１２との間に、若干遊びを残すようにして、雄形プラグ２０を、雌形ソケット１０に挿入し易くできる。
【００３３】
頭部２０１が底部１２０に当り止まると、雄形プラグ２０を、雌形ソケット１０に回転可能に取付ける。その結果、頭部２０１は、凹部１２２の下縁部１２４に載り、雄形プラグ２０が雌形ソケット１０から外れなくなる。図２ｂの断面図で観察できるように、雄形プラグ２０の頭部２０１は、第１電気コネクタ１１と軸方向に協働するように構成する第２電気コネクタ２１を含む。
【００３４】
本発明の好適な実施形態によると、凹部１２２は、凹部の側壁に、雄形プラグ２０の回転が、確実に雄形プラグ２０を雌形ソケット１０に保持するのに十分であることを示す止め部１２４を形成する突起１２３を含む。突起１２３を、互いに対して１８０°に配設できるが、雌形ソケット１０に対して雄形プラグ２０を幾つかの位置にできるように、他の配置も可能である。
【００３５】
装置１の製造及び取付けを簡素化するために、雄形プラグ２０と電気導体４０を、２つの異なる要素とし、電気導体４０を、雄形プラグ２０内で嵌合する。
【００３６】
第２電気コネクタ２１を雄形プラグ２０に取付けるには、まず第２コネクタ２１を、電気導体４０に接続し、次に電気導体４０を、雄形プラグ２０の高さ全体を通るダクト２２内に、第２電気コネクタ２１が雄形プラグ２０に当接するまで、挿入し、嵌合する。
【００３７】
従って、雄形プラグ２０を雌形ソケット１０に組付けるには、雄形プラグ頭部２０１を、雌形ソケット１０の空洞１２に挿入し、雌形ソケット１０の底部１２０までスライドさせ、その後、雄形プラグ２０を凹部１２２内で回転させて、頭部２０１を突起１２３に当接するまで移動する。
【００３８】
その結果、雄形プラグは、雄形プラグ２０を雌形ソケット１０に挿入できる係止解除位置から、雄形プラグ２０を雌形ソケット１０に固着し、第２電気コネクタ２１が、第１電気コネクタ１１と軸方向に協働するする係止位置に変化できる。かかる機構により、電気装置を天井に迅速且つ容易に組付けできる。
【００３９】
本発明の変形例によると、雌形ソケット１０は、雄形プラグ２０を雌形ソケット１０内に係止位置で係止する手段を含む。これらの係止手段は、例えば、雄形プラグ２０を雌形ソケット１０の適所で保持するのに十分な摩擦力を発生させるために、突起１２３に近接する凹部１２２の壁にラグを含んでもよい。
【００４０】
有利には、雄形プラグ２０を、設置する電気装置と一体化する。図２ｂ及び図２ｃは、雄形プラグ２０が第２電気コネクタ２１を受容し、電気導体４０が少なくとも２本の電気ケーブル４３を受容しているところを示している。電気導体４０は、第２電気コネクタ２１に接続する第１端部４１、及び電気装置に接続するように構成したもう一方の端部４２を有し、電気導体は、ダクト２２を介して雄形プラグ２０を通り延在している。ダクト２２は、好適には、円形断面を有し、雄形プラグ２０の高さ全体又は一部に亘り延在し、軸Ａを中心とする。
【００４１】
エンドユーザが行う作業を出来るだけ簡素化するために、電気導体４０と雄形プラグ２０の組付けを、好適には、電気装置のメーカが行う。必要に応じて、図２ｃに示すように、雄形プラグ２０は、あらゆる種類のランプ、例えば、壁照明、又は吊下げ形ランプの組付け用オリフィスを備えた取付け板２３を含むことができる。
【００４２】
本発明によると、雄形プラグ２０は、雄形プラグを雌形ソケットに固着する際に、電気装置の重量を支持する手段を含む。これらの手段は、雄形プラグ２０内に配設し、第２電気コネクタ２１を受容するように構成するハウジング３０を含み、該ハウジング３０は、電気装置を取付ける際に、電気装置の重量を支持するように配設する肩部３１を含む。
【００４３】
より正確には、図２ｂに示すように、ハウジング３０を、雄形プラグ２０の頭部２０１に、好適には、雄形プラグの中心で配設し、それにより第１電気コネクタ１１と第２電気コネクタ２１を同じ軸Ａ上で、ハウジング３０へと繋がるダクト２２と整列させる。図面で表したように、ハウジング３０は、円錐形であり、肩部３１を、ハウジング３０の斜壁によって形成する。当然、他のハウジング形状、例えば平行六面体や丸形とすることもでき、それらの寸法を、電気導体４０が通過するダクト２２の直径より大きくする。
【００４４】
本発明の特に有利な態様によると、第２電気コネクタ２１は、第２電気コネクタ２１がハウジング３０の肩部３１に載り、電気装置の重量を支持するような、肩部３１に対して補完的な形状を有する。電気導体４０を用いて第２電気コネクタ２１に接続した電気装置が回転し易いように、第２電気コネクタ２１を、ハウジング３０内で軸Ａ周りに回転自在にしてもよい。
【００４５】
図面で表したように、第２電気コネクタ２１を、雄形プラグ２０の表面と面一にし、それにより雄形プラグ２０が係止位置にあるときに、第２電気コネクタ２１を、第１電気コネクタ１１と接触状態に保持するようにする。
【００４６】
電気コネクタ１１及び２１は、其々、２個の接触プラグを有することができ、これらの接触プラグを、帯状バネによって形成して、雄形プラグ２０と雌形ソケット１０との間の遊びを補償してもよい。
【００４７】
本発明の特定の態様によると、第２電気コネクタ２１と電気導体４０は、一体要素を形成でき、電気ケーブル４３を、第２電気コネクタ２１に接続し、その後組付け体を、例えば、シースで被覆する。  
【００４８】
雄形プラグ２０、雌形ソケット１０及び第２電気コネクタ２１を、引張強度を高め、その結果、装置の寿命を長くするために、加硫ゴム製とすることができる。
【００４９】
また、本発明は、図３ａ及び図３ｂで示した凹状ハウジング５０にも関する。凹状ハウジング５０を、底部５２及び該底部５２付近に電気ケーブル又は電気導体を通過させるための破断可能な開口部５３を伴う、円筒断面を有する成形プラスチック製本体５１によって形成する。環状リム５４は、底部５２の反対側に配設され、雌形ソケット１０を係合する開口部５９の周縁部を画成する。
【００５０】
また、凹状ハウジング５０は、凹状ハウジング５０を補強すると共に、それを据えるコンクリートスラブに凹状ハウジング５０を保持するための定着部材として機能するように、本体５１の外壁に形成するリブ５５も含む。
【００５１】
本発明の特定の態様によると、本体５１の内面に、凹状ハウジング５０は、上記接続装置用の係止及び調節手段を有する。係止及び調節手段により、凹状ハウジング５０内にある雌形ソケット１０の位置を、図６ａで示すように、雌形ソケット１０が、天井７１の表面と面一になるように、調節できる。
【００５２】
より正確には、調節手段を、凹状ハウジング５０の本体５１の内面に、溝５６によって形成する。本発明の一実施形態によると、溝５６は、凹状ハウジング５０の高さの全て又は一部に亘り延在し、少なくとも２つの組付け体の形をとり、互いに対して９０度の角度だけずらし、それにより２組付け体が、互いに対面し、其々が利用可能な表面の四分の一を占めるようにする。
【００５３】
溝５６の数は、当業者の要求に応じて変更でき、本体５１の内面は、雌形ソケット１０を係止するために、少なくとも２本の溝を含む。また、各溝５６の間隔も、可変であり、好適には１〜５ｍｍである。
【００５４】
溝５６のこれらの組を、ネジ接続によって、雌形ソケット１０と協働するように構成する。また、このために、雌形ソケット１０は、その外壁に、特に、図１ａで示したような２組以上の対応する溝１５を有する。
【００５５】
係止手段は、各溝５６間に形成した少なくとも１つの突起５７を含み、各突起５７を、凹状装置の雌形ソケット１０と協働するように、及び雌形ソケット１０を、場合によっては永久に、凹状ハウジング５０に係止するように構成する。
【００５６】
また、凹状ハウジング５０は、凹状ハウジング５０における雌形ソケット１０の回転を制限するために、各突起５７に近接して停止手段５８を有してもよい。
【００５７】
図３ｃに示すように、凹状ハウジング５０を、カバー６０と嵌合して、開口部５９を閉塞し、天井７１を形成するコンクリートスラブの製造中、適所に凹状ハウジング５０を保持するための固定部品として機能させてもよい。
【００５８】
従って、雌形ソケット１０を凹状ハウジング５０に組付けるのに、雌形ソケット１０を、凹状ハウジング５０に挿入し、環状リム５４が天井と面一になるまでスライドさせ、その後雌形ソケット１０を、凹状ハウジング５０の溝５６の組が、もう片方である雌形ソケット１０の溝１５の組と協働するように四分の一回転させる。回転の終わりに、オペレータは、各突起５７により、雌形ソケット１０を凹状ハウジング５０から外れなくするのに十分な摩擦力が作用するように、力を加えねばならない。
【００５９】
また、本発明は、接続装置に電気装置を接続するための取付けキットにも関し、該取付けキットは、天井に永久に固定するよう意図した凹状ハウジング５０；凹状ハウジングに設置するよう意図した雌形ソケット１０であって、配電網に接続するよう意図した第１電気コネクタ１１を含む雌形ソケット１０；第２電気コネクタ２１を含み、第２電気コネクタ２１が第１電気コネクタ１１と協働するよう、雌形ソケット１０と協働させるように適合した雄形プラグ２０；及び第２電気コネクタ２１に接続する第１端部４１と、電気装置に接続するよう構成した別の端部４２を含み、雄形プラグ２０を通り延伸する電気導体４０を含む。
【００６０】
本発明によるキットは、電気装置を天井に設置するのを、特に迅速且つ簡単にする。
【００６１】
実際に、本発明によるキットにより、図５ａ〜図５ｆで示した、特に単純な取付け方法が実行可能になる。
【００６２】
キットを、以下の通り取付ける：
電気技術者は、カバー６０を、コンクリートスラブを形成する型枠に、例えば釘を用いて、固定する；
次に、凹状ハウジング５０を、カバー６０にスナップ結合し、電気シースを、破断可能な開口部５３を通して、密閉状態に設置する；
コンクリートスラブを、天井を形成するために注入する；
コンクリートスラブが乾燥すると、型枠を取外す；
電気技術者は、電気ワイヤを、凹状ハウジング５０を通して、引張る又は走らせる；
電気技術者は、次に、雌形ソケット１０の第１電気コネクタ１１を電気ワイヤに接続する；
最後に、電気技術者は、支持カラー１３が天井７１に載置されるように、雌形ソケット１０を凹状ハウジング５０に挿入し、係止する。
【００６３】
最後に、建物の居住者等の人物は、雌形ソケット１０に雄形プラグ２０を挿入、係止し、それにより第１電気コネクタ１１と第２電気コネクタ２１を協働させて、道具を使う必要なく、電気装置に電力供給するための電気接続を確立できる。
【００６４】
カバー６０の留め具が、安全且つ頑丈でなければならない場合、電気技術者は、数本の釘を用いてカバー６０を型枠に固定でき、その結果カバー６０の保持を向上できる。
【００６５】
図６ｂで観察できるように、このキットを、吊天井７０でも使用でき、その際、凹状ハウジング５０における雌形ソケット１０の位置を、雌形ソケット１０が吊天井７０と面一になるように、容易に調節できる。
【００６６】
本発明のこれらの異なる態様の結果として、室内灯やファン等の電気装置を容易に設置可能にする単純な設計のキットを提供する。明らかに、他の電気装置も、本発明によるキットを使用して設置できる。
【００６７】
勿論、本発明は、図示した実施例に限定されず、様々な変更例及び変形例が可能であり、そうした変更例及び変形例は、当業者には明らかであろう。従って、雄形プラグ２０と雌形ソケット１０を逆にして、雄形プラグ２０を壁取付け台に固定し、雌形ソケット１０を雄形プラグ２０に取外可能に固定することができる。
【符号の説明】
【００６８】
１  接続装置
１０  雌形ソケット
１０ａ  筒状外囲体
１１  第１電気コネクタ
１２  空洞
１２０  雌形ソケットの底部
１２１  入口部
１２２  筒状凹部
１２３  突起
１２４  下縁部
１３  支持カラー
１４  ポケット凹部
１５  溝
２０  雄形プラグ
２０１  雄形プラグ頭部
２０２  雄形プラグ胴部
２１  第２電気コネクタ
２２  ダクト
２３  取付け板
３０  ハウジング
３１  肩部
４０  電気導体
４１  第１端部
４２  第２端部
４３  電気ケーブル
５０  凹状ハウジング
５１  ハウジング本体
５２  ハウジング底部
５３  破断可能な開口部
５４  環状リム
５５  リブ
５６  溝
５７  突起
５８  停止手段
５９  ハウジング開口部
６０  カバー
７０  吊天井
７１  天井
Ａ  軸
ｈ  凹部の高さ
Ｈ  空洞の高さ
【図１ａ】
0006778745.tif 000002
【図１ｂ】
0006778745.tif 000003
【図１ｃ】
0006778745.tif 000004
【図２ａ】
0006778745.tif 000005
【図２ｂ】
0006778745.tif 000006
【図２ｃ】
0006778745.tif 000007
【図３ａ】
0006778745.tif 000008
【図３ｂ】
0006778745.tif 000009
【図３ｃ】
0006778745.tif 000010
【図４ａ】
0006778745.tif 000011
【図４ｂ】
0006778745.tif 000012
【図５ａ】
0006778745.tif 000013
【図５ｂ】
0006778745.tif 000014
【図５ｃ】
0006778745.tif 000015
【図５ｄ】
0006778745.tif 000016
【図５ｅ】
0006778745.tif 000017
【図５ｆ】
0006778745.tif 000018
【図６ａ】
0006778745.tif 000019
【図６ｂ】
0006778745.tif 000020